(57)【要約】【課題】被認証者の位置情報端末の移動軌跡と当該被認証者の実際の移動軌跡との同一性を証明する。【解決手段】移動履歴証明システム１において、行動照合部１２は被認証者の位置情報端末２の識別情報と端末２の移動履歴情報とこれと時間的及び実空間的に近似する位置で発生していたイベント（事象）の情報とに基づき前記被認証者への質問を作成する。そして、この質問を被認証者がアクセスする入出力部１１に供して入出力部１１から受けた回答を前記移動履歴情報と照合することにより前記同一性を判断する。また、行動照合部１２は、前記質問を複数作成し、これらの質問を入出力部１１に供し、この入出力部１１から受けた回答の不正解率に基づき前記同一性を判断する。【選択図】図１
2010277540.tif 000002
【特許請求の範囲】
【請求項１】
被認証者の位置情報端末の移動軌跡と当該被認証者の実際の移動軌跡との同一性を証明する移動履歴証明システムであって、
被認証者の位置情報端末の識別情報と当該端末の移動履歴情報とこれと時間的及び実空間的に近似する位置で発生していた事象の情報とに基づき前記被認証者への質問を作成し、この質問を被認証者がアクセスする入出力手段に供してこの入出力手段から受けた回答を前記移動履歴情報と照合することにより前記同一性を判断する行動照合手段を備えたこと
を特徴とする移動履歴証明システム。
【請求項２】
前記行動照合手段は前記質問を複数作成しこれらの質問を入出力手段に供してこの入出力手段から受けた回答の不正解率に基づき前記同一性を判断すること
を特徴とする請求項１に記載の移動履歴証明システム。
【請求項３】
前記行動照合手段は前記被認証者の知人の移動履歴情報に基づく当該知人との邂逅を前記事象の情報として前記質問の作成に供すること
を特徴とする請求項１または２に記載の移動履歴証明システム。
【請求項４】
前記行動照合手段は前記事象の情報と時間的及び実空間的に近似しない測位情報を前記質問の作成に供すること
を特徴とする請求項１から３のいずれか１項に記載の移動履歴証明システム。
【請求項５】
被認証者の位置情報端末の移動軌跡と当該被認証者の実際の移動軌跡との同一性を証明する移動履歴証明方法であって、
行動照合手段が、被認証者の位置情報端末の識別情報と当該端末の移動履歴情報とこれと時間的及び実空間的に近似する位置で発生していた事象の情報とに基づき前記被認証者への質問を作成し、この質問を被認証者がアクセスする入出力手段に供してこの入出力手段から受けた前記回答を前記移動履歴情報と照合することより前記同一性を判断するステップを
有すること
を特徴とする移動履歴証明方法。
【請求項６】
前記行動照合手段が前記質問を複数作成しこれらの質問を前記入出力手段に供してこの入出力手段から受けた回答の不正解率に基づき前記同一性を判断するステップを
さらに有すること
を特徴とする請求項５に記載の移動履歴証明方法。
【請求項７】
前記行動照合手段が前記被認証者の知人の移動履歴情報に基づく当該知人との邂逅を前記事象の情報として前記質問の作成に供するステップを
さらに有すること
を特徴とする請求項５または６に記載の移動履歴証明方法。
【請求項８】
前記行動照合手段が前記事象の情報と時間的及び実空間的に近似しない測位情報を前記質問の作成に供するステップを
さらに有すること
を特徴とする請求項５から７のいずれか１項に記載の移動履歴証明方法。
【請求項９】
請求項１から４のいずれか１項に記載の移動履歴証明システムに係る行動照合手段としてコンピュータを機能させるプログラム。
【発明の詳細な説明】
【技術分野】
【０００１】
本発明は、被認証者の所有する位置情報端末から得られる移動軌跡と、被認証者の実際の移動軌跡が同一であることを証明する技術に関する。
【背景技術】
【０００２】
位置情報を取得しサーバに発信する端末（以下、位置情報端末と呼ぶ）から情報を得ることにより、当該位置情報端末にデータベース上に括りつけられた人物（以下、ユーザと呼ぶ）の軌跡情報を判定することが検討されている。
【０００３】
ＧＰＳ等の測位システムを利用した位置情報端末を持ち歩くことで、当人の行動パターンを認証する方式が提案されている（特許文献１，非特許文献１）。
【先行技術文献】
【特許文献】
【０００４】
【特許文献１】特開２００４−３１０２０７号公報
【非特許文献】
【０００５】
【非特許文献１】Ｏｆｆｉｃｉａｌ ＧＰＸ ｗｅｂ ｓｉｔｅ，“ＧＰＸ：Ｔｈｅ ＧＰＳ Ｅｘｃｈａｎｇｅ Ｆｏｒｍａｔ”，［ｏｎｌｉｎｅ］，２００４年８月９日，Ｄａｎ Ｆｏｓｔｅｒ，［平成２１年３月２４日検索］，インターネット＜ＵＲＬ：ｈｔｔｐ：／／ｗｗｗ．ｔｏｐｏｇｒａｆｉｘ．ｃｏｍ／ｇｐｘ．ａｓｐ＞
【発明の概要】
【発明が解決しようとする課題】
【０００６】
従来の技術では、ユーザが位置情報端末を常に保持して行動することが前提となっていた。しかし、実際にはユーザは必ずしも位置情報端末を常時携帯するとは限らない。例えば悪意のユーザが、協力者に位置情報端末を預け、協力者があらかじめ決められたコースを歩いた場合、ユーザの実際の行動と位置情報端末の軌跡は一致しないが、ユーザは位置情報端末の軌跡の通り移動したとみなされてしまう。
【０００７】
そのため、位置情報端末の移動軌跡に基づいたユーザの移動軌跡の記録は可能であったが、位置情報端末とユーザが本当に同じ軌跡で移動したことは証明できなかった。
【課題を解決するための手段】
【０００８】
そこで、本発明は被認証者の位置情報端末の位置に関連する情報に基づく質問を前記端末に提示しその回答が正しい場合に当該端末と被認証者が同じ位置にいると判断する。
【０００９】
すなわち、本発明の移動履歴証明システムの態様としては、被認証者の位置情報端末の移動軌跡と当該被認証者の実際の移動軌跡との同一性を証明する移動履歴証明システムであって、被認証者の位置情報端末の識別情報と当該端末の移動履歴情報とこれと時間的及び実空間的に近似する位置で発生していた事象の情報とに基づき前記被認証者への質問を作成し、この質問を被認証者がアクセスする入出力手段に供して当該入出力手段から受けた回答を前記移動履歴情報と照合することにより前記同一性を判断する行動照合手段を備える。
【００１０】
また、本発明の移動履歴証明方法の態様としては、被認証者の位置情報端末の移動軌跡と当該被認証者の実際の移動軌跡との同一性を証明する移動履歴証明方法であって、行動照合手段が、被認証者の位置情報端末の識別情報と当該端末の移動履歴情報とこれと時間的及び実空間的に近似する位置で発生していた事象の情報とに基づき前記被認証者への質問を作成し、この質問を被認証者がアクセスする入出力手段に供して当該入出力手段から受けた前記回答を前記移動履歴情報と照合することより前記同一性を判断するステップを有する。
【００１１】
尚、本発明は前記移動履歴証明システムに係る行動照合手段としてコンピュータを機能させる移動履歴証明プログラムまたはこれを記録したコンピュータ読み取り可能な記録媒体の態様とすることもできる。
【発明の効果】
【００１２】
したがって、以上の発明によれば、被認証者の位置情報端末の移動軌跡と当該被認証者の実際の移動軌跡との同一性を証明できる。
【図面の簡単な説明】
【００１３】
【図１】本発明に係る移動履歴証明システムの概念図。
【図２】本発明の実施形態に係る移動履歴証明システムの構成図。
【図３】本発明の実施形態に係る移動履歴証明システムによる位置情報端末の移動履歴の登録過程を説明したフローチャート。
【図４】本発明の実施形態に係る移動履歴証明システムによるユーザ行動照会のイベント（事象）の情報のみに基づくユーザ行動照合の過程を説明したフローチャート。
【発明を実施するための形態】
【００１４】
本発明に係る移動履歴証明システムは位置情報端末の位置と時間を移動情報（移動履歴）として保持し、移動軌跡の付近で発生したイベント（事象）の情報をマッチングする。そして、前記情報に基づいた質問文を自動構成し、これをユーザ（被認証者）に提示し、当該ユーザの記憶と照合する。
【００１５】
より具体的には、図１に示された本発明の実施形態に係る移動履歴証明システム（以下、システムと称する）１に係る行動照合部１２は、ユーザの位置情報端末２の「移動履歴」と、「ユーザ情報」と、「イベント情報」とに基づく質問をユーザがアクセスする入出力部１１に提示する。そして、行動照合部１２は、前記ユーザによって入出力部１１から入力された回答に基づく「行動照合」を行うことで位置情報端末２とそのユーザとが同じ位置に在るか否かを判断する。システム１の利用にあたり、予め、前記ユーザ情報であるユーザとそのユーザが所有する位置情報端末２に関連する情報がシステム１内の記憶手段（具体的には図２に示されたユーザ情報管理部１３のユーザ情報保存部１３１）に登録されている。
【００１６】
位置情報端末２は、ＧＰＳなどの測位システムで得られた位置情報を時刻情報と共に常時あるいは定期的に記録し、常時、定期的、あるいはシステム１と通信可能となった時に、位置情報をシステム１に送信する。ユーザは位置情報端末２を保持して移動することが期待されている。
【００１７】
位置情報端末２から送信された当該端末の位置情報は、移動履歴（位置情報および経路情報）としてシステム１内に保存される。これと並行して、システム１はイベント情報を入手する。イベント情報はある位置においてある時刻に発生していた事象の情報である。
【００１８】
ユーザの行動照合においては、システム１はユーザに括りつけられた位置情報端末２の移動履歴と、その経路に近い位置で発生していたイベント情報とから、ユーザに対する質問文を生成する。生成した質問は入出力部１１を介してユーザに提示される。
【００１９】
そして、前記質問に対するユーザからの回答が正しかった場合、ユーザと位置情報端末２は同様の経路を辿っていたと判断され、ユーザの行動が証明されることになる。ユーザからの回答が正しくなかった場合、ユーザと位置情報端末２は同様の経路を辿っていなかった可能性が高いと判断される。
【００２０】
システム１は図２に示されたように入出力部１１と行動照合部１２とユーザ情報管理部１３と移動履歴管理部１４とイベント情報管理部１５とを備える。
【００２１】
入出力部１１はユーザによるアクセス（入出力操作）に基づき行動照合部１２と情報の送受信を行う。入出力部１１の態様としては、ユーザによって操作される独立した他の端末（パーソナルコンピュータ）か、または、Ｗｅｂサーバなどに例示される前記ユーザ（他の端末）からのアクセスに基づき行動照合部１２と情報の入出力を行うサーバ機能を有するものが挙げられる。
【００２２】
行動照合部１２は、入出力部１１を介したユーザからの照合要求を受け、ユーザに対応した位置情報端末２の移動履歴とユーザ情報さらにまたはイベント情報に基づいた質問文を作成する。そして、入出力部１１を介して、この質問文に対する回答を、前記ユーザから受けると、当該回答を前記移動履歴と照合することにより被認証者の位置情報端末２の移動軌跡と当該被認証者の実際の移動軌跡との同一性を判断する。行動照合部１２は、前記質問文を複数作成した場合、これらの質問を入出力部１１から受けた回答の不正解率に基づき前記同一性を判断する。
【００２３】
また、行動照合部１２は前記ユーザの知人である他のユーザの位置情報端末２から得た移動履歴情報に基づく当該知人との邂逅を前記イベントの情報として前記質問文の作成に供する機能も有する。この場合、当該他のユーザとの知人関係が予めユーザ情報管理部１３に保存される。
【００２４】
さらに、行動照合部１２は前記イベント情報と時間的及び実空間的に近似しない測位情報を前記質問の作成に供する機能も有する。
【００２５】
ユーザ情報管理部１３は各ユーザのプロファイルをユーザ情報保存部１３１に保存する。前記プロファイルには、ユーザが常に所持していることが期待される位置情報端末２のＩＤ（識別情報）と、ユーザからの申告に基づいた知人とその関係情報のリストが含まれる。
【００２６】
移動履歴管理部１４は位置情報端末２から得られた位置情報に基づき移動履歴を経路情報保存部１４１に一定期間保存する。時空間情報の表現は、Ｔｈｅ ＧＰＳ Ｅｘｃｈａｎｇｅ Ｆｏｒｍａｔ（ＧＰＸ）が使用可能である（非特許文献１）。ＧＰＸでは、時刻情報とＧＰＳ情報を同時に含んだ経路（軌跡）を表現可能である。ＧＰＸを利用することにより、位置情報端末２の経路情報を保存することができる。位置情報の入力形式は任意であり、経路情報保存部１４１に保存される際にはＧＰＸに適切に変換される。
【００２７】
また、経路情報保存部１４１は、ＧＰＸへの追加情報として、ある所定の各地点における位置情報端末２の状態を保存する。位置情報端末２の状態は、ある位置（半径１０ｍ程度の粒度で）での滞在状況を表現したものである。滞在状況は、ある位置での滞在時間に応じて、例えば｛通過，一時停止，停滞，滞在｝からの選択で表現する。
【００２８】
図３を参照しながら移動履歴管理部１４による移動履歴の保存の具体的な手順（Ｓ３０１〜Ｓ３０５）について説明する。
【００２９】
Ｓ３０１：位置情報端末２から位置情報がシステム１内に入力される。
【００３０】
Ｓ３０２：移動情報管理部１４は、位置情報端末２から入力された位置情報を読み出すと、システム１内で使用する位置情報に変換する。この変換された位置情報は、＜端末ＩＤ、時刻、場所＞の３つ組によって表現される。
【００３１】
Ｓ３０３：移動情報管理部１４はＳ３０２で変換された位置情報の集合を滞在時間付き位置情報に変換する。この滞在時間付き位置情報は、＜端末ＩＤ、開始時刻、場所、滞在時間＞の４つ組で表現される。
【００３２】
Ｓ３０４：移動情報管理部１４はＳ３０４での変換で得た滞在時間付き位置情報の集合を経路情報に変換し、経路情報保存部１４１に保存する。経路情報は、滞在時間付き位置情報のリストで表現される。
【００３３】
Ｓ３０５：以上のステップで得られた１日分の経路情報は、移動履歴として、経路情報保存部１４１に保存される。
【００３４】
イベント情報管理部１５は各種のイベント情報入力端末や外部のサーバから入力されたイベント情報をイベント情報保存部１５１に保存する。本機能部１５でも、ＧＰＸを利用することにより、イベント情報を保存することができる。イベント情報の入力形式は任意であり、イベント情報保存部１５１に保存される際にはＧＰＸに適切に変換される。
【００３５】
イベント情報は予め前記イベント情報端末および外部の各種サーバによって登録されている。イベント情報は、＜時刻、場所、種別、内容＞の４つ組で表現される。読み出された環境情報は、種別に応じて特定の形式に変換されて保存されている。
【００３６】
前記イベント情報端末は、環境を自動で計測するセンサと有線・無線による通信機能とを有し、センサ情報を発信するもの、例えばワイヤレス・センサ・ネットワークを構成する各種センサノードなどを有する。前記センサは随時・定時・あるいはリクエストに応じてサーバ（イベント情報端末）に環境情報を発信する。
【００３７】
前記外部の各種サーバとしては、特定時刻に特定場所でなんらかのイベントが発生したことを記録し、発信するものが使用される。例えば、電子広告の制御システム、列車の運行情報、交通情報、デパートの催事情報などが含まれる。
【００３８】
以下、図４を参照しながら、システム１によるユーザ行動照合の過程について説明する。
【００３９】
図示されたユーザ行動照合のステップ（Ｓ１〜Ｓ１４）は「イベント情報のみに基づくユーザ行動照合」の手順である。その概要を説明する。
【００４０】
先ず、ユーザ情報管理部１３から引き出したユーザに関する情報と、移動履歴管理部１４から引き出した当該ユーザに括りつけられた位置情報端末２の移動履歴と、イベント情報管理部１５から抽出した移動履歴に対して時間および空間的に近い位置で発生したイベントとに基づき、当該ユーザに対する質問文を構成する（Ｓ１〜Ｓ８）。質問文は、そのイベントを体験していれば何の困難もなく回答できるものであり、イベントを体験していなければ回答困難なものとする。そして、前記生成した質問文を、入出力部１１を介して、前記ユーザに供し、当該ユーザからその回答を受け取ると、位置情報端末２の移動軌跡と当該ユーザの実際の移動軌跡との同一性を判断し、認証成功または認証失敗の情報を入出力部１１に出力する（Ｓ９〜Ｓ１４）。
【００４１】
以下、各ステップについて具体的に説明する。
【００４２】
Ｓ１：ユーザは入出力部１１に対して行動照合を要求する。
【００４３】
Ｓ２：入出力部１１は前記照合の要求を行動照合部１２に出力する。
【００４４】
Ｓ３：行動照合部１２は前記要求を受けるとユーザ情報をユーザ情報管理部１３に対して要求する。
【００４５】
Ｓ４：ユーザ情報管理部１３は前記ユーザ情報の要求を受けるとユーザ情報保存部１３１から位置情報端末２に対応する端末ＩＤを引き出して行動照合部１２に出力する。
【００４６】
Ｓ５：行動照合部１２は前記端末ＩＤを受けると位置情報端末２の移動情報である移動履歴を得るために移動履歴管理部１４に対して当該端末の移動履歴を要求する。
【００４７】
Ｓ６：移動履歴管理部１４は前記移動履歴の要求を受けると経路情報保存部１４１から当該移動履歴を引き出して行動照合部１２に出力する。
【００４８】
Ｓ７：行動照合部１２は前記移動履歴を受けるとこの履歴に対応したイベント情報をイベント情報管理部１５のイベント情報保存部１５１から検索し、前記イベント情報のリストを取得する。
【００４９】
Ｓ８：行動照合部１２は前記イベント情報のリストに基づくユーザへの質問文を構成する。質問文は質問文テンプレートを使用して生成している。質問文テンプレートの例を以下に示した。質問文は複数作成すれば、それだけ認証性能が高くなる。
【００５０】
（例１）年月日、場所２では何が行われていましたか？
（１）行事１。
（２）行事２。
（３）行事３。
（４）上記（１）から（３）のいずれの行事も行われていなかった。
（５）場所２には行っていない。
【００５１】
Ｓ９：行動照合部１２はＳ８で構成した質問文を入出力部１１に出力する。
【００５２】
Ｓ１０：入出力部１１は前記質問文をユーザに対して出力表示する。
【００５３】
Ｓ１１：ユーザは前記質問文に対する回答を入出力部１１に入力する。
【００５４】
Ｓ１２：入出力部１１はユーザからの回答を行動照合部１２に入力する。
【００５５】
Ｓ１３：行動照合部１２は前記回答を受けて、これを移動履歴と照合することで当該回答の正誤を判定し、認証成功、認証失敗のいずれかの結果を照合結果として入出力部１１に出力する。尚、質問が複数されている場合、行動照合部１２は入出力部１１から受けた回答の不正解率に基づきユーザの位置情報端末２の移動軌跡と当該ユーザの実際の移動軌跡との同一性を判断し、認証成功、認証失敗のいずれかの結果を出力する。
【００５６】
ユーザによる回答の正否による認証の成功条件は、以下のように定められる。
【００５７】
質問が複数作成されている場合、全ての質問をｋ個の選択肢から１つの回答を得るものとする。また、質問数をｎとする。ユーザがランダムに回答した場合、ｎ問中ちょうどｒ問で間違える確率（全問正解の場合はｒ＝０）は、式（１）で表される。
【００５８】
【数１】
2010277540.tif 000003
【００５９】
また、ｎ問中、たかだかｒ問で間違える確率は式（２）で表される関数Ｄで表現される。
【００６０】
【数２】
2010277540.tif 000004
【００６１】
例えば、全ての質問が５者択一であるとすると、関数Ｄは式（３）のようになる。
【００６２】
【数３】
2010277540.tif 000005
【００６３】
ここで、ある閾値θを設定し、関数Ｄの値がθ以下であった場合に認証の成功、そうでない場合に認証の失敗とする。
【００６４】
たとえばθ＝０．１とする。５者択一問題が４問あり、そのうちの不正解が１問以下である確率は、Ｄ5（４，１）＝１７／６２５＝０．０２７２であり、同条件で不正解が２問以下である確率は、Ｄ5（４，２）＝１１３／６２５＝０．１８１８となる。従ってこの条件では、１問以下の失敗であれば認証成功、それ以上間違えた場合は失敗となる。
【００６５】
Ｓ１４：入出力部１１はＳ１３で得られた照合結果をユーザに出力する。
【００６６】
以上説明したステップは「イベント情報のみに基づくユーザ行動照合」の事例であるが、「イベント情報のみに基づかないユーザ行動照合」の場合は、ユーザ情報として「他のユーザとの知人関係」も照合に供してもよい。「他のユーザとの知人関係」はユーザ情報管理部１３のユーザ情報保存部１３１に予め保存される。そして、当該ユーザの知人が移動情報（知人の位置情報端末の移動情報）として時間的及び空間的に近くにいた場合、その知人との邂逅も、イベント情報管理部１５に管理されないイベント情報として、図４のＳ８での質問文構成のステップに利用される。この質問文構成に使用される質問文テンプレートの例を以下に示した。
【００６７】
（例２）あなたは年月日、誰に会いましたか？
（１）人名１さん。
（２）人名２さん。
（３）人名３さん。
（４）人名４さん。
（５）上記（１）から（４）のいずれの方にも会っていない。
【００６８】
また、イベント情報と結びつかない移動情報のみ（ある時刻にある場所にいた、など）によっても質問式を構成可能である。この場合、行動照合部１２は前記イベント情報と時間的及び実空間的に近似しない測位情報を図４のＳ８での質問文構成ステップに供する。例えば、Ｇｏｏｇｌｅ Ｓｔｒｅｅｔ Ｖｉｅｗなどから、ユーザが行ったとされる地点の画像を抽出し、ユーザが行ったとされていない地点の写真との組から、その地点の画像を選択させる、などの方法で質問を構成することもできる。質問文テンプレートの例を以下に示した。
【００６９】
（例３）あなたは年月日、場所１にどのくらい居ましたか？
（１）通り過ぎただけ。
（２）十数分。
（３）１時間くらい。
（４）半日以上。
（５）場所１には行っていない。
【００７０】
（例４）年月日、あなたは場所３と場所４ではどちらに先に行きましたか？
（１）場所３に行ってから場所４に行った。
（２）場所４に行ってから場所３に行った。
（３）場所３にしか行っていない。
（４）場所４にしか行っていない。
（５）場所３にも場所４にも行っていない。
【００７１】
以上の説明から明らかなように、本発明に係るシステム１によれば、位置情報端末２とそのユーザ（つまり被認証者）が正しく同じ経路を辿ったことを証明できるので、所有者が本当にある時間にある場所にいたことの証明が可能となる。また、同時に、位置情報端末２を所有者以外の人物（協力者）が位置情報端末２を持って行動した場合、所有者は協力者の辿った軌跡は何らかの方法で引継ぐことが可能であるが、協力者が経験したことの全ての記憶を引き継げない。本発明を利用すると、悪意のユーザが協力者を使用して行動認証しようとしても失敗となり、悪意を防ぐことが可能となる。
【００７２】
本発明の具体的な実施例による効果を以下に挙げた。
【００７３】
（１）行動履歴による推薦システムの精度向上
位置情報端末２に基づいた人間の行動パターン分析において、位置情報端末２が人間と同じ移動軌跡を持つことが保証されるので、システム１によれば、人間の行動履歴による情報推薦など、行動パターンを利用したサービスの品質を向上することが可能となる。
【００７４】
（２）健康管理の精度向上
健康管理のため、あるいは保険会社による運動状況の確認のため、実際にユーザによる運動が正しく記録されていることの証明に使用できる。ユーザが位置情報端末２を保持してジョギングなどをした際、その経路上で発生したイベントについてシステム１が質問し、ユーザがそれに対して回答することで、実際に運動したことの証明が可能となる。
【００７５】
（３）スタンプラリーサービス
展示会などでユーザが特定の複数の出展ブースを全て回った場合に、何らかの特典が与えられるような場合、実際にユーザが出展ブースを全て回った証明を得るために、システム１を利用できる。ユーザが通った経路上で発生したイベントについてシステム１が質問し、前記ユーザがその質問に対して回答することで、システム１は当該ユーザが位置情報端末２を保持して移動していたことを証明できるので、特典を正しく与えることができる。
【００７６】
以上説明した本発明に係るシステム１に係る機能部１２〜１５は、コンピュータのハードウェアリソース、例えばＣＰＵ、メモリ（ＲＡＭ）、ハードディスク装置、通信デバイス等によって構成できる。すなわち、機能部１２〜１５はＣＰＵとプログラムとの協働によって実現できる。機能部１３〜１５に係る記憶部はハードディスク装置によって実現できる。
【００７７】
また、本発明は、前述したシステム１に係る行動照合部１２の機能をコンピュータに実現させるプログラムまたはこれを記録したコンピュータ読み取り可能な記録媒体の態様としてコンピュータのＣＰＵ（ＭＰＵ）が当該プログラムを読み出し実行することで実現できる。その場合、記録媒体から読み出されたプログラムコード自体が上述した実施の形態の機能を実現することになり、そのプログラムを記憶した記録媒体、例えばＣＤ−ＲＯＭ、ＤＶＤ−ＲＯＭ、ＣＤ−Ｒ、ＭＯ、ＨＤＤ等は本発明を構成する。
【符号の説明】
【００７８】
１…移動履歴証明システム
１１…入出力部（入出力手段）
１２…行動照合部（行動照合手段）
１３…ユーザ情報管理部
１４…移動履歴管理部
１５…イベント情報管理部
１３１…ユーザ情報保存部
１４１…経路情報保存部
１５１…イベント情報保存部
【図１】
2010277540.tif 000006
【図２】
2010277540.tif 000007
【図３】
2010277540.tif 000008
【図４】
2010277540.tif 000009